(57)【要約】【課題】多数のペンライトによる演出を模擬することより、カラオケ歌唱の場を盛り上げることを可能とするカラオケシステムを提供する。【解決手段】使用端末が、使用端末の動きを検出し、モーションデータとしてカラオケ装置に送信する検出部を有し、カラオケ装置が、受信した一のモーションデータに基づいて、実際に使用されるペンライトの動きを模擬した複数のペンライト映像を生成する生成部と、表示手段を制御し、生成した複数のペンライト映像を表示させる表示制御部と、を有するカラオケシステム。【選択図】図６
2020181082.tif 000002
【特許請求の範囲】
【請求項１】
歌唱者がカラオケ歌唱を行うためのカラオケ装置と、当該カラオケ装置と通信可能に接続され、当該歌唱者以外の利用者である聴衆が使用する使用端末とを含むカラオケシステムであって、
前記使用端末は、
前記使用端末の動きを検出し、モーションデータとして前記カラオケ装置に送信する検出部を有し、
前記カラオケ装置は、
受信した一のモーションデータに基づいて、実際に使用されるペンライトの動きを模擬した複数のペンライト映像を生成する生成部と、
表示手段を制御し、生成した前記複数のペンライト映像を表示させる表示制御部と、
を有するカラオケシステム。
【請求項２】
前記使用端末は、前記複数のペンライト映像の発光態様を決定するための発光情報を設定する設定部を有し、
前記検出部は、設定された前記発光情報を前記モーションデータと併せて前記カラオケ装置に送信し、
前記生成部は、受信した前記発光情報に基づいて、前記複数のペンライト映像の発光態様を設定することを特徴とする請求項１記載のカラオケシステム。
【請求項３】
前記生成部は、前記複数のペンライト映像を表示させる位置を示す位置情報と、受信した前記モーションデータとを紐づけたテーブル情報に基づいて、前記複数のペンライト映像を生成することを特徴とする請求項１または２記載のカラオケシステム。
【請求項４】
前記表示制御部は、前記カラオケ装置が有する撮影手段により歌唱者を撮影して得られた歌唱映像に対し、前記複数のペンライト映像を合成して表示させることを特徴とする請求項１から３のいずれか一つに記載のカラオケシステム。
【請求項５】
前記カラオケ装置は、前記歌唱者のカラオケ歌唱を評価する評価部を有し、
前記生成部は、前記評価部による評価結果に応じて、生成する前記ペンライト映像の数を決定することを特徴とする請求項１から４のいずれか一つに記載のカラオケシステム。
【発明の詳細な説明】
【技術分野】
【０００１】
本発明はカラオケシステムに関する。
【背景技術】
【０００２】
アーティストのライブコンサートや各種イベント等においては、観客参加型の演出方法が採用されることがある。たとえば、楽曲の演奏や演出に合わせて観客が携帯発光装置（たとえば、ペンライトや腕時計型の発光体）を動かすことで演出効果を高める方法がある。
【０００３】
特許文献１には、複数色を発光可能なペンライトを利用した演出用発光装置が開示されている。特許文献１に開示された演出用発光装置は、複数の携帯発光装置（ペンライト）の発光色を、無線接続された一台の発光状態制御装置によって制御することで、観客席において任意の光の文字、画像、模様を表現することができる。
【０００４】
また、非特許文献１には、スマートフォンの画面を利用して様々なペンライトの発光態様を模擬できるアプリケーションソフトウェアが開示されている。
【先行技術文献】
【特許文献】
【０００５】
【特許文献１】特開２００３−０３６９８１号公報
【非特許文献】
【０００６】
【非特許文献１】“ペンライト”  Ａｐｐ  Ｓｔｏｒｅホームページ、［平成３１年４月９日検索］、インターネット＜ＵＲＬ：https://itunes.apple.com/jp/app/%E3%83%9A%E3%83%B3%E3%83%A9%E3%82%A4%E3%83%88/id722842803?mt=8＞
【発明の概要】
【発明が解決しようとする課題】
【０００７】
ここで、カラオケルームにおいて複数の利用者でカラオケ歌唱を行う際、聴衆（カラオケ歌唱を行う歌唱者以外の利用者）は、カラオケ店舗のフロントで貸し出されたペンライトや、非特許文献１に開示されているアプリケーションソフトウェアを利用し、カラオケ歌唱の場を盛り上げようとすることがある。
【０００８】
しかし、カラオケルームを同時に利用できる人数は、ごく少数である。よって、各利用者がペンライト等を使用したとしても、プロのアーティストのコンサート会場において行われる多数のペンライトによる演出のような効果を得ることができない。
【０００９】
本発明の目的は、多数のペンライトによる演出を模擬することより、カラオケ歌唱の場を盛り上げることを可能とするカラオケステムを提供することにある。
【課題を解決するための手段】
【００１０】
上記目的を達成するための一の発明は、歌唱者がカラオケ歌唱を行うためのカラオケ装置と、当該カラオケ装置と通信可能に接続され、当該歌唱者以外の利用者である聴衆が使用する使用端末とを含むカラオケシステムであって、前記使用端末は、前記使用端末の動きを検出し、モーションデータとして前記カラオケ装置に送信する検出部を有し、前記カラオケ装置は、受信した一のモーションデータに基づいて、実際に使用されるペンライトの動きを模擬した複数のペンライト映像を生成する生成部と、表示手段を制御し、生成した前記複数のペンライト映像を表示させる表示制御部と、を有するカラオケシステムである。
本発明の他の特徴については、後述する明細書及び図面の記載により明らかにする。
【発明の効果】
【００１１】
本発明によれば、多数のペンライトによる演出を模擬することより、カラオケ歌唱の場を盛り上げることができる。
【図面の簡単な説明】
【００１２】
【図１】実施形態に係るカラオケシステムの概略を示す図である。
【図２】実施形態に係る携帯端末の構成を示す図である。
【図３】実施形態に係るカラオケ装置の構成を示す図である。
【図４】実施形態に係るカラオケ本体の構成を示す図である。
【図５】実施形態に係るテーブル情報の構成を示す図である。
【図６】実施形態に係るカラオケシステムの処理を示すフローチャートである。
【図７】変形例１に係るカラオケ装置の構成を示す図である。
【図８】変形例２に係るカラオケ本体の構成を示す図である。
【発明を実施するための形態】
【００１３】
＜実施形態＞
図１〜図６を参照して、実施形態に係るカラオケシステムについて説明する。
【００１４】
＝＝カラオケシステム＝＝
図１に示すように、本実施形態に係るカラオケシステム１は、カラオケ装置Ｋと、携帯端末Ｍ１〜Ｍ５を備える。
【００１５】
カラオケ装置Ｋは、楽曲のカラオケ演奏、及び歌唱者がカラオケ歌唱を行うための装置である。図１では、歌唱者Ｓがカラオケ歌唱を行う例を示している。カラオケ装置Ｋは、カラオケ店舗のカラオケルーム等に設置されている。
【００１６】
携帯端末Ｍ１〜携帯端末Ｍ５は、カラオケ装置Ｋと通信可能に接続され、それぞれ聴衆Ｕ１〜聴衆Ｕ５が使用するものである。聴衆Ｕ１〜聴衆Ｕ５は、歌唱者Ｓ以外のカラオケ装置の利用者である。なお、携帯端末の数は５つに限られるものではない。カラオケシステム１としては、少なくとも一つの携帯端末があればよい。
【００１７】
各携帯端末は、たとえば、聴衆が所有するスマートフォンである。本実施形態に係る携帯端末には、カラオケシステム１を利用するための専用アプリケーションソフトウェア（以下、「ペンライトアプリＰ」）がインストールされている。ペンライトアプリＰは、サーバ装置（図示なし）や、サーバ装置が提供するＷｅｂサイトからダウンロードすることで入手できる。なお、ペンライトアプリＰには、非特許文献１のアプリケーションソフトウェアのようにペンライトの発光態様を模擬する機能は必須でない。
【００１８】
各携帯端末は、カラオケ装置Ｋとペアリングすることで通信可能となる。ペアリングは、たとえば、カラオケ装置Ｋが設置されたカラオケルームへ聴衆が入室した後、携帯端末でペンライトアプリＰを起動させた場合に実行される。本実施形態における携帯端末は「使用端末」の一例である。
【００１９】
＝＝携帯端末＝＝
図１に示した携帯端末Ｍ１〜Ｍ５はいずれも同じ構成のため、以下、携帯端末Ｍ１を例に説明する。図２に示すように、携帯端末Ｍ１は、記憶部１０、通信部１１、表示部１２、入力部１３、及び制御部１４を備える。各構成はインターフェース（図示なし）を介してバスＢに接続されている。
【００２０】
［記憶部、通信部、表示部、入力部］
記憶部１０は、各種のデータを記憶する大容量の記憶装置である。通信部１１は、カラオケ装置Ｋとの接続を行うためのインターフェースを提供する。表示部１２は、各種情報を表示させるディスプレイである。入力部１３は、聴衆Ｕ１が各種指示入力を行うための構成である。なお、一般的なスマートフォンでは、表示部１２がタッチパネル形式で構成されており、入力部１３として機能する。
【００２１】
［制御部］
制御部１４は、携帯端末Ｍ１における各種の制御を行う。制御部１４は、ＣＰＵおよびメモリ（いずれも図示無し）を備える。ＣＰＵは、メモリに記憶されたプログラムを実行することにより各種の機能を実現する。
【００２２】
ペンライトアプリＰを起動させた場合、本実施形態における制御部１４は、検出部１４ａ及び設定部１４ｂとして機能する。
【００２３】
（検出部）
検出部１４ａは、携帯端末Ｍ１の動きを検出し、モーションデータとしてカラオケ装置Ｋに送信する。
【００２４】
携帯端末Ｍ１の動きの検出は、携帯端末Ｍ１に内蔵されている加速度センサ（図示なし）を用いた公知の技術により行うことができる。
【００２５】
たとえば、聴衆Ｕ１が、歌唱者のカラオケ歌唱に合わせて、ペンライトアプリＰを起動させた携帯端末Ｍ１を左右や上下に振る動作を繰り返し行ったとする。
【００２６】
この場合、検出部１４ａは、携帯端末Ｍ１の動きを検出し、モーションデータＭＤ１としてカラオケ装置Ｋに送信する。
【００２７】
（設定部）
設定部１４ｂは、複数のペンライト映像の発光態様を決定するための発光情報を設定する。
【００２８】
複数のペンライト映像は、カラオケ装置Ｋにより生成される映像である（詳細は後述）。発光態様は、ペンライト映像における発光色（ペンライト映像の色）、輝度、点灯パターン（常時点灯、点滅など）等である。
【００２９】
たとえば、ペンライトアプリＰを起動させた場合、表示部１２に発光態様の選択画面が表示される。聴衆Ｕ１は、入力部１３を介し、複数の発光態様の中から任意の発光態様（たとえば、発光色：赤）を選択する。設定部１４ｂは、選択された発光態様を携帯端末Ｍ１のモーションデータＭＤ１に対応する発光情報として設定する。
【００３０】
検出部１４ａは、設定された発光情報をモーションデータＭＤ１と併せてカラオケ装置Ｋに送信する。
【００３１】
＝＝カラオケ装置＝＝
図３に示すように、カラオケ装置Ｋは、カラオケ本体２０、スピーカ３０、表示装置４０、マイク５０、リモコン装置６０、及びサブモニタ７０を備える。
【００３２】
カラオケ本体２０は、歌唱者により選曲された楽曲の演奏制御、歌詞や背景映像等の表示制御、マイク５０を通じて入力された音声信号の処理といった、カラオケ演奏やカラオケ歌唱に関する各種の制御を行う。スピーカ３０はカラオケ本体２０からの放音信号に基づいて放音するための構成である。表示装置４０はカラオケ本体２０からの信号に基づいて背景映像や歌詞を画面に表示するための構成である。マイク５０は歌唱者の歌唱音声をアナログの音声信号に変換してカラオケ本体２０に入力するための構成である。リモコン装置６０は、カラオケ本体２０に対する各種操作をおこなうための装置である。サブモニタ７０は、複数のペンライト映像（後述）を表示させる専用のモニタである。
【００３３】
図４に示すように、本実施形態に係るカラオケ本体２０は、記憶部２１、通信部２２、入力部２３、及び制御部２４を備える。各構成はインターフェース（図示なし）を介してバスＢに接続されている。
【００３４】
［記憶部］
記憶部２１は、各種のデータを記憶する大容量の記憶装置であり、たとえばハードディスクドライブなどである。記憶部２１は、カラオケ装置Ｋによりカラオケ演奏を行うための複数の楽曲データ等を記憶する。
【００３５】
［通信部・入力部］
通信部２２は、各携帯端末やリモコン装置６０との通信を行うためのインターフェースを提供する。入力部２３は、カラオケ装置Ｋの利用者が各種の指示入力を行うための構成である。入力部２３は、カラオケ本体２０に設けられたボタン等である。或いは、リモコン装置６０が入力部２３として機能してもよい。
【００３６】
［制御部］
制御部２４は、カラオケ装置Ｋにおける各種の制御を行う。制御部２４は、ＣＰＵおよびメモリ（いずれも図示無し）を備える。ＣＰＵは、メモリに記憶されたプログラムを実行することにより各種の機能を実現する。
【００３７】
本実施形態においてはＣＰＵがメモリに記憶されるプログラムを実行することにより、制御部２４は、生成部１００及び表示制御部２００として機能する。
【００３８】
（生成部）
生成部１００は、受信した一のモーションデータに基づいて、複数のペンライト映像を生成する。また、本実施形態において、生成部１００は、受信した発光情報に基づいて、複数のペンライト映像の発光態様を設定する。
【００３９】
複数のペンライト映像は、実際に使用されるペンライトの動きを模擬した映像である。
【００４０】
たとえば、携帯端末Ｍ１からモーションデータＭＤ１を受信したとする。この場合、生成部１００は、モーションデータＭＤ１が示す動きでペンライトの画が動く映像を複数生成する。すなわち、一のモーションデータに基づいて生成された複数のペンライト映像は、全て同じ映像となる。ペンライト映像の生成は、公知のＣＧ技術を用いることができる。
【００４１】
また、生成部１００がモーションデータＭＤ１と併せて「発光色：赤」という発光情報を受信したとする。この場合、生成部１００は、ペンライトの画が赤色で発光しながら動く映像を生成する。
【００４２】
ここで、生成部１００は、複数のペンライト映像を表示させる位置を示す位置情報と、受信したモーションデータとを紐付けたテーブル情報に基づいて、複数のペンライト映像を生成してもよい。
【００４３】
位置情報は、たとえばサブモニタ７０の表示画面に複数のペンライト映像を表示させる際に、ペンライト映像を表示させる位置を特定するための情報である。
【００４４】
一のモーションデータを受信した場合、生成部１００は、当該一のモーションデータをある位置情報に紐付ける。
【００４５】
具体例として、携帯端末Ｍ１〜Ｍ５からそれぞれモーションデータＭＤ１〜ＭＤ５が送信されたとする。また、この例では１０席（Ａ席〜Ｊ席）×１０列（第１列〜第１０列）の観客席を模擬した位置情報が設定されているとする。
【００４６】
この場合、生成部１００は、各座席に対して、モーションデータＭＤ１〜ＭＤ５の紐付けを行う。図５は、モーションデータの紐付けを行ったテーブル情報を示す。
【００４７】
図５の第１列では、Ａ席、Ｅ席、Ｈ席にモーションデータＭＤ１が紐付けられており、Ｄ席、Ｊ席にモーションデータＭＤ２が紐付けられており、Ｂ席、Ｆ席にモーションデータＭＤ３が紐付けられており、Ｃ席、Ｇ席にモーションデータＭＤ４が紐付けられており、Ｉ席にモーションデータＭＤ５が紐付けられている。
【００４８】
従って、生成部１００は、モーションデータＭＤ１に基づいて、第１列のＡ席、Ｅ席、Ｈ席に対応する位置に表示させるペンライト映像Ｐ１を生成し、モーションデータＭＤ２に基づいて、第１列のＤ席、Ｊ席に対応する位置に表示させるペンライト映像Ｐ２を生成し、モーションデータＭＤ３に基づいて、第１列のＢ席、Ｆ席に対応する位置に表示させるペンライト映像Ｐ３を生成し、モーションデータＭＤ４に基づいて、第１列のＣ席、Ｇ席に対応する位置に表示させるペンライト映像Ｐ４を生成し、モーションデータＭＤ５に基づいて、第１列のＩ席に対応する位置に表示させるペンライト映像Ｐ５を生成する。同様に第２列〜第１０列においても、図５に示すテーブル情報に基づいてペンライト映像Ｐ１〜Ｐ５を生成する。
【００４９】
なお、どの位置情報にどのモーションデータを紐付けるかは、特に限定されるものではない。たとえば、モーションデータを受信する都度、ランダムに位置情報との紐付けを行ってもよい。或いは、図５のような観客席を模擬した位置情報が設定されている場合、たとえば、１列にはモーションデータＭＤ１、２列にはモーションデータＭＤ２、・・・・といったように、所定の列毎に一のモーションデータを紐付けてもよい。また、１列目のＡ席、Ｂ席、２列目のＡ席、Ｂ席の４×４の範囲に対してはモーションデータＭＤ１、１列目のＣ席、Ｄ席、２列目のＣ席、Ｄ席の４×４の範囲に対してはモーションデータＭＤ２、・・・・といったように、所定の範囲毎に一のモーションデータを紐付けてもよい。
【００５０】
（表示制御部）
表示制御部２００は、表示手段を制御し、生成した複数のペンライト映像を表示させる。
【００５１】
本実施形態における表示手段は、サブモニタ７０である。表示制御部２００は、生成部１００で生成された複数のペンライト映像を、歌唱者のカラオケ歌唱に合わせてサブモニタ７０に表示させる。
【００５２】
たとえば、図５のテーブルデータによれば、５つのモーションデータに基づいて１００のペンライト映像が生成される。よって、表示制御部２００は、１００のペンライト映像をサブモニタ７０に表示させる。つまり、カラオケ歌唱の聴衆は５名であるにも関わらず、実際には１００名がペンライトを動かしているのと同じ視覚的な効果を得ることができる。
【００５３】
なお、表示手段は、表示装置４０であってもよいし、カラオケ装置Ｋとは別に設けられたプロジェクタであってもよい。表示手段がプロジェクタの場合、表示制御部２００は、プロジェクタを制御し、カラオケルームの壁に複数のペンライト映像を表示させることができる。また、表示手段として透過型のＨＭＤ（ヘッドマウント・ディスプレイ）を備えてもよい。歌唱者がこのＨＭＤを装着して歌唱することにより、いわゆるＡＲ（オーグメンテッド・リアリティ、拡張現実）の効果を得ることができる。
【００５４】
＝＝カラオケシステムにおける処理について＝＝
次に、図６を参照して本実施形態に係るカラオケシステム１における処理の具体例について述べる。図６は、カラオケシステム１における処理例を示すフローチャートである。この例では、図１に示した歌唱者Ｓのカラオケ歌唱を聴く聴衆Ｕ１が所有する携帯端末Ｍ１とカラオケ装置Ｋとの間における処理について説明する。また、聴衆Ｕ１が所有する携帯端末Ｍ１においてペンライトアプリＰが起動され、カラオケ装置Ｋとペアリングされているとする。
【００５５】
聴衆Ｕ１は、携帯端末Ｍ１の表示部１２に表示された発光態様の選択画面で任意の発光態様を選択する。設定部１４ｂは、選択された発光態様を携帯端末Ｍ１における発光情報として設定する（発光情報の設定。ステップ１０）。
【００５６】
カラオケ装置Ｋは、歌唱者が選曲した楽曲のカラオケ演奏を開始する（カラオケ演奏の開始。ステップ１１）。
【００５７】
聴衆Ｕ１は、カラオケ演奏に合わせて携帯端末Ｍ１を振る動作を行う。検出部１４ａは、携帯端末Ｍ１の動きを検出し、モーションデータＭＤ１及びステップ１０で設定された発光情報を併せてカラオケ装置Ｋに送信する（モーションデータ及び発光情報の送信。ステップ１２）。
【００５８】
カラオケ装置Ｋの生成部２００は、受信したモーションデータＭＤ１及び発光情報に基づいて、実際に使用されるペンライトの動きを模擬した複数のペンライト映像を生成する（複数のペンライト映像を生成。ステップ１３）。
【００５９】
カラオケ装置Ｋの表示制御部２００は、サブモニタ７０を制御し、ステップ１３で生成した複数のペンライト映像を表示させる（複数のペンライト映像を表示。ステップ１４）。
【００６０】
表示制御部２００は、楽曲のカラオケ演奏が終了するまで（ステップ１５でＹの場合）、複数のペンライト映像を表示させる。
【００６１】
このように、本実施形態に係るカラオケシステム１は、歌唱者がカラオケ歌唱を行うためのカラオケ装置Ｋと、当該カラオケ装置と通信可能に接続され、当該歌唱者以外の利用者である聴衆が使用する携帯端末とを含む。携帯端末は、当該携帯端末の動きを検出し、モーションデータとしてカラオケ装置Ｋに送信する検出部１４ａを有する。カラオケ装置Ｋは、受信した一のモーションデータに基づいて、実際に使用されるペンライトの動きを模擬した複数のペンライト映像を生成する生成部１００と、サブモニタ７０を制御し、生成した複数のペンライト映像を表示させる表示制御部２００と、を有する。
【００６２】
このようなカラオケシステム１によれば、一のモーションデータに基づいて生成された複数のペンライト映像を表示させることができる。つまり、聴衆の数が少ない場合であっても、多数のペンライトが振られている様子を模擬的に実現することができる。よって、歌唱者は、コンサート会場のような大観衆が居る前でカラオケ歌唱をしている感覚を得ることができる。すなわち、本実施形態に係るカラオケシステム１によれば、多数のペンライトによる演出を模擬することより、カラオケ歌唱の場を盛り上げることができる。
【００６３】
また、携帯端末は、複数のペンライト映像の発光態様を決定するための発光情報を設定する設定部１４ｂを有し、検出部１４ａは、設定された発光情報をモーションデータと併せてカラオケ装置Ｋに送信し、生成部１００は、受信した発光情報に基づいて、複数のペンライト映像の発光態様を設定してもよい。このようなカラオケシステム１によれば、聴衆が希望する発光態様に応じたペンライト映像を生成し、表示することができる。
【００６４】
なお、設定部１４ｂは必須の構成ではない。たとえば、予め複数の発光情報をカラオケ装置Ｋ側で記憶しておくことも可能である。この場合、生成部１００は、ペンライト映像を生成する際に一の発光情報を選択する。そして、生成部１００は、選択した発光情報に基づいてペンライト映像の発光態様を決定する。
【００６５】
また、生成部１００は、複数のペンライト映像を表示させる位置を示す位置情報と、受信したモーションデータとを紐づけたテーブル情報に基づいて、複数のペンライト映像を生成することができる。このようなテーブル情報を用いることにより、カラオケシステム１は、位置情報に応じて複数のペンライト映像を生成することができる。
【００６６】
＜変形例１＞
カラオケ歌唱を行う歌唱者を撮影して得られた歌唱映像に対し、上記実施形態で生成したペンライト映像を合成して表示させることも可能である。
【００６７】
図７は、本変形例に係るカラオケ装置Ｋを示した図である。カラオケ装置Ｋは、撮影手段Ｃを有する。撮影手段Ｃは、カラオケ装置Ｋが設置されているカラオケ歌唱を行う歌唱者を撮影し、歌唱映像を取得する。
【００６８】
本変形例にかかる表示制御部２００は、撮影手段Ｃにより歌唱者を撮影して得られた歌唱映像に対し、複数のペンライト映像を合成して表示させる。２つの映像の合成は、公知の手法を利用することができる。また歌唱者映像の撮影タイミングは、カラオケ演奏の開始から終了まで等、任意のタイミングを設定することができる。合成された映像は、上記実施形態におけるペンライト映像と同様、サブモニタ７０等に表示される。このような構成により、歌唱者は、大観衆の居る前でカラオケ歌唱しているような疑似的な映像を楽しむことができる。
【００６９】
＜変形例２＞
上記実施形態では、カラオケ演奏の開始から終了まで同じ数のペンライト映像が表示される例について説明した。一方、カラオケ演奏の途中でペンライト映像の数を変えることも可能である。
【００７０】
図８は、カラオケ装置Ｋを示す図である。本変形例において、制御部２４は、生成部１００、表示制御部２００、及び評価部３００として機能する。
【００７１】
評価部３００は、歌唱者のカラオケ歌唱を評価する。カラオケ歌唱の評価は、公知の手法を用いることができる。たとえば、評価部３００は、歌唱者の歌唱音声に基づく音声信号と楽曲のリファレンスデータとを比較し、１００点を満点とする数値（得点）による評価を行うことができる。
【００７２】
生成部１００は、評価部３００による評価結果に応じて、生成するペンライト映像の数を決定する。
【００７３】
たとえば、生成部１００は、最初に一のモーションデータに対して１０のペンライト映像を生成する。この場合、表示制御部２００は１０のペンライト映像を表示させる。
【００７４】
一方、たとえば、ある楽曲の１コーラスのカラオケ歌唱が終了した後、評価部３００は、それまでのカラオケ歌唱を評価する。評価部３００は、評価結果と閾値を比較する。閾値はペンライト映像の数を決定するための値であって予め任意の値が設定されている。評価結果が閾値以上であった場合（たとえば、閾値８０点に対して評価結果が８５点であった場合）、生成部１００は、一のモーションデータに対して生成するペンライト映像の数を増加させる。逆に、下限の閾値を決定しておき、それ以下の評価結果であった場合（たとえば、下限の閾値７０点に対して評価結果が６５点であった場合）、生成部１００は、生成するペンライト映像の数を減らすことでもよい。
【００７５】
このように評価結果に応じて表示されるペンライト映像を増減させることにより、歌唱者は、聴衆が自らのカラオケ歌唱に直接反応しているような気分を味わうことができる。
【００７６】
なお、カラオケ演奏の途中でペンライト映像の数を変える構成はこの変形例に限られない。たとえば、生成部１００は、評価結果よらず、歌唱区間に応じて生成するペンライト映像の数を決定してもよい。一般に、楽曲の歌唱区間のうち、最も盛り上がるのはサビの歌唱区間である。よって、生成部１００は、サビの歌唱区間においては、他の歌唱区間よりも多くのペンライト映像を生成してもよい。
【００７７】
或いは、上記実施形態では、一のテーブル情報を用いてペンライト映像を生成する例について述べた。一方、位置情報に対して紐付けられるモーションデータが異なる複数のテーブル情報を作成し、カラオケ歌唱の評価結果や、カラオケ演奏される歌唱区間に応じて、利用するテーブル情報を変えることでもよい。
【００７８】
更に、上記実施形態と同様、生成部１００は、一のモーションデータに基づいて複数のペンライト映像を生成する。そして、表示制御部２００が、カラオケ歌唱の評価結果や、カラオケ演奏される歌唱区間に応じて、表示させるペンライト映像の数を変えることでもよい。
【００７９】
＜その他＞
たとえば非特許文献１に開示されているアプリケーションソフトウェアを利用することにより、上記実施形態における複数のペンライト映像の表示と併せて、携帯端末自体を疑似的なペンライトとして使用することもできる。或いは、上記実施形態における携帯端末Ｍ１に発光部を設け、制御部１４に発光制御部を備えて発光部を制御してもよい。この場合、発光制御部は、設定部により設定された発光情報に基づいて発光部を制御してもよい。また、発光部は、携帯端末が備えるライトであってもよいし、携帯端末の表示部であってもよい。
【００８０】
使用端末は、携帯端末に限られない。たとえばカラオケ店舗のフロントで貸し出されるペンライトのような携帯発光装置が上記実施形態における携帯端末と同様の機能を有していてもよい。この場合、携帯発光装置が「使用端末」に相当する。
【００８１】
カラオケ装置Ｋは、一のモーションデータに基づいて生成するペンライト映像の数を、模擬しようとするコンサート会場の規模に応じて設定可能としてもよい。或いは、所定数のペンライト映像を生成するために一のモーションデータに基づいて生成するペンライト映像の数を、聴衆の数（モーションデータを送信する携帯端末の数）に応じて設定してもよい。たとえば、上記実施形態のようにペンライト映像の数を１００とした場合、聴衆が５人であれば一のモーションデータに基づいて２０のペンライト映像を生成し、聴衆が４人であれば一のモーションデータに基づいて２５のペンライト映像を生成してもよい。
【００８２】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８３】
１  カラオケシステム
１４ａ  検出部
１４ｂ  設定部
１００  生成部
２００  表示制御部
３００  評価部
Ｋ  カラオケ装置
Ｍ１〜Ｍ５  携帯端末
【図１】
2020181082.tif 000003
【図２】
2020181082.tif 000004
【図３】
2020181082.tif 000005
【図４】
2020181082.tif 000006
【図５】
2020181082.tif 000007
【図６】
2020181082.tif 000008
【図７】
2020181082.tif 000009
【図８】
2020181082.tif 000010